(57)【要約】【課題】異機種間の通信端末での情報通信に関し、特に画像情報の通信の互換性を実現するための情報処理サーバ３０ａを提供する。【解決手段】通信端末識別子によって検索される対応情報を格納する識別子対応情報記憶装置３４と、通信端末から入力される情報を、対応情報に従って変換する情報変換手段３３とを備える。【選択図】図１
2005107736.tif 000002
【特許請求の範囲】
【請求項１】
通信端末識別子によって検索される対応情報を格納する識別子対応情報記憶装置と、
通信端末から入力される情報を、前記対応情報に従って変換する情報変換手段
とを備えることを特徴とする情報処理サーバ。
【請求項２】
前記通信端末から入力される情報から画像を作成する画像作成手段をさらに備えることを特徴とする請求項１に記載の情報処理サーバ。
【請求項３】
前記通信端末が情報交換を許可されているか示す許可情報を格納する許可情報記憶装置と、
前記許可情報を判定する許可判定手段
とをさらに備えることを特徴とする請求項１または２に記載の情報処理サーバ。
【発明の詳細な説明】
【技術分野】
【０００１】
本発明は、異機種間の通信端末での情報通信に関し、特に画像情報の通信の互換性を実現するための情報処理サーバに係わる。
【背景技術】
【０００２】
現在、二次元コード読取機能つき通信端末が開発され、二次元コード画像化された情報を通信端末に取り込むことが可能となった。さらに、一部の通信端末には、二次元コード生成機能が内蔵されている。これにより通信端末の画面上に、情報を二次元コード化した画像を表示し、その画像を他の通信端末で読取ることにより，通信端末間で情報の受け渡しが可能となってきている（例えば非特許文献１参照。）。 
【非特許文献１】後藤祥子、“ZDNet/JAPAN”、[online]、２００３年７月１５日、[平成１５年９月２２日検索]、インターネット＜ＵＲＬ；http://www.zdnet.co.jp/mobile/0307/15/n_qrprint.html＞
【発明の開示】
【発明が解決しようとする課題】
【０００３】
情報の二次元コード化の記述方式が通信端末の機種によって異なるため、異機種間の通信端末では、画像を読み取れたとしてもデータ形式が崩れてしまう。したがって、通信端末の機能を十分に生かすためには、出力側と読取側が同機種でなければいけない。そのため、機種間の互換性を実現するシステムの開発が望まれている。そこで本発明は、異機種間の通信端末での情報通信に関し、特に画像情報の通信の互換性を実現するための情報処理サーバを提供しようとするものである。
【課題を解決するための手段】
【０００４】
本発明の特徴は、通信端末識別子によって検索される対応情報を格納する識別子対応情報記憶装置と、通信端末から入力される情報を、対応情報に従って変換する情報変換手段とを備える情報処理サーバであることを要旨とする。
【０００５】
さらに、通信端末から入力される情報から画像を作成する画像作成手段や通信端末が情報交換を許可されているか示す許可情報を格納する許可情報記憶装置と、許可情報を判定する許可判定手段とを備えることが好ましい。
【発明の効果】
【０００６】
本発明によれば、異機種間の通信端末での情報通信に関し、特に画像情報の通信の互換性を実現するための情報処理サーバを提供することができる。
【発明を実施するための最良の形態】
【０００７】
図面を参照して、本発明の実施の形態を説明する。以下の図面の記載において、同一又は類似の部分は同一又は類似の符号を付している。ただし、図面は模式的なものであり、各寸法の比率等は現実のものとは異なることに留意すべきである。したがって、具体的な寸法等は以下の説明を参酌して判断すべきものである。
【０００８】
（第１の実施の形態）
本発明の第１の実施の形態に係る情報処理サーバ３０ａは、図１に示すように、通信端末識別子によって検索される対応情報を格納する識別子対応情報記憶装置３４と、通信端末から入力される情報を、対応情報に従って変換する情報変換手段３３とを備える。さらに、通信端末から入力される情報から画像を作成する画像作成手段３２と、通信端末との情報のやり取りを制御する入出力制御手段３１とを備える。
【０００９】
識別子対応情報記憶装置３４には、通信端末の機種等を認識するための識別子を従い、情報を送信する際にどのように変換すればよいかを規定した対応情報が格納されている。
【００１０】
情報変換手段３３は、識別子対応情報記憶装置３４から対応情報を読み出し、該当の通信端末に送る情報を実際に変換する。
【００１１】
画像作成手段３２は、通信端末内に画像作成機能がない場合に、情報を画像化して通信端末に送信する。
【００１２】
本発明の第１の実施の形態に係る情報処理システムでは、例えば図１に示すように、情報処理サーバ３０ａに、第１通信ネットワーク４０を介して第１通信端末１０が接続し、さらに、第２通信ネットワーク５０を介して第２通信端末２０が接続している。さらに複数の通信端末が複数の通信ネットワークを介して接続しても構わない。
【００１３】
第１通信端末１０及び第２通信端末２０は、情報を二次元コード化して紙面等に記載された画像を読み取るためのカメラやスキャナー等の画像取込手段１１、２１を備える。さらに読み取った画像情報を格納しておく画像データ記憶装置１２、２２を備える。また、通信端末の機種等を認識させるための識別子情報を格納しておく識別子情報記憶装置を備える。そして、情報処理サーバ３０ａと通信しるための情報送受信手段と、受信した画像等の情報を表示するための画像表示画面とを備える。
【００１４】
次に、図２を参照しながら、通信の手順を説明すると以下のようになる；
Ｓ１００：第１通信端末１０は、二次元コード化された画像を画像取込手段１１によって端末内に取り込み、第１通信端末１０自体の情報と共に情報処理サーバ３０ａに送信する：
Ｓ１０１：情報処理サーバ３０ａは、第１通信端末１０から受信した情報を元に、二次元コード化した画像の情報を第１通信端末１０に返信する：
Ｓ１０２：第１通信端末１０は、情報処理サーバ３０ａから受信した画像を画像表示画面１５に表示する：
Ｓ１０３：つづいて、第２通信端末２０は、第１通信端末１０の画像表示画面１５に表示された画像を、画像取込手段２１によって端末内に取り込み、識別子情報記憶装置２３に格納された識別子情報と共に情報処理サーバ３０ａに送信する：
Ｓ１０４：情報処理サーバ３０ａは、第２通信端末２０から受信した識別子を元に、識別子対応情報記憶装置３４を検索し、情報を変換するための対応情報を読み出す。そして、その対応情報に従い情報を変換し、第２通信端末２０に返信する。
【００１５】
この手順のＳ１０４の情報変換によって、異機種間の二次元コード化の記述方式の差分を吸収できるため、第１通信端末１０と第２通信端末２０が異機種でも、二次元コード化した画像を介して、必要な情報を正常に伝達することができる。
【００１６】
（具体例１：電話番号交換）
Ｓ１００で、電話帳登録処理命令情報を二次元コード化した画像を読み取り、第１通信端末１０自体の情報として、電話番号やメールアドレスを情報処理サーバ３０ａに送信する：
Ｓ１０１では、電話帳登録処理命令情報と第１通信端末１０の電話番号やメールアドレスを一体にして二次元コード化した画像が第１通信端末１０に返信される：
Ｓ１０２、Ｓ１０３では、第１通信端末１０の画像表示画面１５に表示された画像を第２通信端末２０で取り込み、第２通信端末２０の識別子と共に情報処理サーバ３０ａに送信する：
Ｓ１０４で、情報処理サーバ３０ａで受信した画像は、第２通信端末２０が解釈できる情報に変換される。そしてその情報を受信した第２通信端末２０では、電話帳に第１通信端末１０の電話番号やメールアドレスが登録させる。
【００１７】
同じ手順で、第２通信端末２０の電話番号やメールアドレスを、第１通信端末１０の電話帳に登録することで名刺交換と同様のことが二次元コード化画像を夜に込むことで可能になる。
【００１８】
また、第２通信端末２０が画像生成機能を備えている場合は、第１通信端末１０の機種情報を得ておけば、第２通信端末２０内で画像を生成して、第１通信端末１０に直接読み込ませることで、情報を伝達することができる。
【００１９】
（具体例２：複数の端末情報による処理）
Ｓ１００で、相性占い処理命令情報を二次元コード化した画像を読み取り、第１通信端末１０自体の情報として、生年月日や名前を情報処理サーバ３０ａに送信する：
Ｓ１０１では、相性占い処理命令情報と第１通信端末１０の生年月日や名前をを一体にした情報か途中の占い結果を二次元コード化した画像が、第１通信端末１０に返信される：
Ｓ１０２、Ｓ１０３では、第１通信端末１０の画像表示画面１５に表示された画像を第２通信端末２０で取り込み、第２通信端末２０の情報として、識別子と生年月日や名前を共に情報処理サーバ３０ａに送信する：
Ｓ１０４での情報変換では、第２通信端末２０からの情報を元に相性占いプログラムを実行した結果を第２通信端末２０に返信する。さらに第１通信端末１０にも結果を返信してもよい。
【００２０】
（第２の実施の形態）
本発明の第２の実施の形態に係る情報処理サーバ３０ｂは、図３に示すように、第１の実施の形態に係る情報処理サーバ３０ａに、通信端末が情報交換を許可されているか示す許可情報を格納する許可情報記憶装置３６と、許可情報を判定する許可判定手段３５とをさらに備えたものである。
【００２１】
許可情報記憶装置３６は、各端末の電話番号や端末番号等の識別情報で検索することで読み出すことができる、通信許可／不許可を規定している情報を格納している。
【００２２】
そして許可判定手段３５は、その許可情報を読み出し、通信をしてよいかを判定し、許可なら処理を続行させ、不許可ならエラー処理を行う。
【００２３】
本発明の第２の実施の形態に係る情報処理システムは、図３に示すように、第１の実施の形態に係る情報処理システムと同様である。
【００２４】
次に、図４及び図５を参照しながら、通信の手順を説明すると以下のようになる；
Ｓ２００からＳ２０３までは、図２のＳ１００からＳ１０３までと同様である：
Ｓ２０４：情報処理サーバ３０ｂは、第２通信端末２０の識別情報を元に許可情報記憶装置３６から許可情報を読み出す。その許可情報を許可判定手段３５によって判定する：
Ｓ２０５：もし情報の交換が許可されている場合、図２のＳ１０４と同様に、情報処理サーバ３０ｂは、識別子対応情報記憶装置３４を検索し、情報を変換するための対応情報を読み出す。そして、その対応情報に従い情報を変換し、第２通信端末２０に返信する：
Ｓ２０６：もし情報の交換が不許可の場合、エラー情報を第２通信端末２０に返信する。
【００２５】
この手順により、情報を共有できる端末、できない端末とグループ化することができ、情報のセキュリティを高めることができる。また、アクセス時刻等の情報をキーとして許可情報を許可情報記憶装置３６に格納しておくことも可能である。これによって時間帯による規制等をかけることができる。
【００２６】
（その他の実施の形態）
本発明の第１及び第２の実施の形態について記載したが、この開示の一部をなす論述及び図面はこの発明を限定するものであると理解すべきではない。この開示から当業者には様々な代替実施の形態、実施例及び運用技術が明らかとなる。
【００２７】
例えば、通信端末へ情報を送信すると同時に、パソコン等の別の機体にも情報を送るように、送信先情報を付加して情報処理サーバ３０ａ、３０ｂに画像を送信することも可能である。
【００２８】
本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００２９】
【図１】本発明の第１の実施の形態に係る情報処理サーバの機能ブロック図と、情報処理サーバが用いられる情報処理システムのシステム構成図である。
【図２】本発明の第１の実施の形態に係る情報処理方法を示すシーケンス図である。
【図３】本発明の第２の実施の形態に係る情報処理サーバの機能ブロック図と、情報処理サーバが用いられる情報処理システムのシステム構成図である。
【図４】本発明の第２の実施の形態に係る通信許可時の情報処理方法を示すシーケンス図である。
【図５】本発明の第２の実施の形態に係る通信不許可時の情報処理方法を示すシーケンス図である。
【符号の説明】
【００３０】
１０…第１通信端末
２０…第２通信端末
１１、２１…画像取込手段
１２、２２…画像データ記憶装置
１３、２３…識別子情報記憶装置
１４、２４…情報送受信手段
１５、２５…画像表示画面
３０ａ、３０ｂ…情報処理サーバ
３１…入出力制御手段
３２…画像生成手段
３３…情報変換手段
３４…識別子対応情報記憶装置
３５…許可判定手段
３６…許可情報記憶装置
４０…第１通信ネットワーク
５０…第２通信ネットワーク
【図１】
2005107736.tif 000003
【図２】
2005107736.tif 000004
【図３】
2005107736.tif 000005
【図４】
2005107736.tif 000006
【図５】
2005107736.tif 000007